(57)【要約】【課題】原稿搬送機構が簡素であり、しかも、フラットベッド型画像読取記録装置が小型であり、操作性が優れている画像読取装置およびファクシミリ装置を提供することを目的とするものである。【解決手段】原稿端部検知手段がプラテンからはみ出した部分のあることを検知しない場合、プラテン上の画像情報のみを読み取り、一方、原稿端部検知手段がプラテンからはみ出した部分のあることを検知した場合、プラテン上の第１の画像情報を読み取った後に、第１の原稿搬送手段で原稿を搬送し、はみ出した部分をプラテン上に搬送し、第１の画像情報に隣接する第２の画像情報を読み取り、画像処理部が、第１の画像情報と第２の画像情報とを、１つの画像情報に合成する。【選択図】  図１０
2005057340.tif 000002
【特許請求の範囲】
【請求項１】
シートに画像を形成する画像形成手段と、原稿を載置する原稿台と、上記原稿台の上方に配置され、上記原稿台部に対して回動可能に取り付けられている圧板とを具備する画像読取記録装置において、
上記原稿台に配置され、上記画像形成手段によって画像形成可能な定型シートの最大サイズよりも小さいサイズのプラテンと；
上記原稿台内部に配置され、上記プラテン上に載置されている原稿の画像を読み取る画像読取手段と；
上記原稿台の上記プラテンの一方の端部の外側に配置され、原稿を挟持してプラテンへ給送する第１の原稿搬送手段と；
上記原稿台の上記プラテンの他方の端部の外側に配置され、原稿を挟持してプラテンから排出する第２の原稿搬送手段と；
上記原稿台内部に配置され、上記第１、２の原稿搬送手段を駆動する原稿搬送駆動手段と；
上記プラテン上に載置されている原稿に、上記プラテンからはみ出している部分があるかどうかを検知する原稿端部検知手段と；
上記画像読取手段によって読み取られた複数の画像情報を１つの画像情報に合成する画像処理部と；
上記原稿端部検知手段が上記プラテンからはみ出した部分のあることを検知しない場合、プラテン上の画像情報のみを読み取り、一方、上記原稿端部検知手段が上記プラテンからはみ出した部分のあることを検知した場合、プラテン上の第１の画像情報を読み取った後に、上記第１の原稿搬送手段で原稿を搬送し、上記はみ出した部分をプラテン上に搬送し、第１の画像情報に隣接する第２の画像情報を読み取り、上記画像処理部が、上記第１の画像情報と上記第２の画像情報とを、１つの画像情報に合成する制御手段と；
を有することを特徴とする画像読取記録装置。
【請求項２】
請求項１において、
上記原稿端部検知手段は、上記プラテンの原稿搬送方向の上流側に設けられていることを特徴とする画像読取記録装置。
【請求項３】
請求項２において、
上記原稿端部検知手段は、上記第１の原稿搬送駆動手段よりも上流側に設けられていることを特徴とする画像読取記録装置。
【請求項４】
請求項３において、
上記プラテンの原稿搬送方向の下流側端部に、上記原稿の先端部を位置決めする指標を有し、
上記位置決め指標と上記原稿端部検知手段との距離Ｌ１が、上記第１の原稿搬送手段と上記第２の原稿搬送手段との距離Ｌ２と同じ位置、または、上記距離Ｌ２よりも長い位置に、上記原稿端部検知手段が配置されていることを特徴とする画像読取記録装置。
【請求項５】
シートに画像を形成する画像形成手段と、原稿を載置する原稿台と、上記原稿台の上方に配置され、上記原稿台部に対して回動可能に取り付けられている圧板とによって構成されている画像読取記録装置において、
上記原稿台に配置され、上記画像形成手段によって画像形成可能な定型シートの最大サイズよりも短いサイズのプラテンと；
上記原稿台内部に配置され、上記プラテン上に載置されている原稿の画像を読み取る画像読取手段と；
上記原稿台の上記プラテンの一方の端部の外側に配置され、原稿を挟持し、上記プラテンへ給送する第１の原稿搬送手段と；
上記原稿台の上記プラテンの他方の端部の外側に配置され、原稿を挟持し、上記プラテンから排出する第２の原稿搬送手段と；
上記原稿台内部に配置され、上記第１、２の原稿搬送手段を駆動する原稿搬送駆動手段と；
上記プラテンの下方に配置され、原稿面に対向配置されている原稿を主走査方向に１ライン毎に読み取る読取手段と；
上記読取手段を副走査方向に移動させる読取移動手段と；
上記プラテン上に載置されている原稿のうちで、上記プラテンからはみ出している部分があるかどうかを検知する原稿端部検知手段と；
原稿の読み取りサイズを入力する入力手段と；
上記画像読取手段によって読み取られた複数の画像情報を、１つの画像情報に合成する画像処理部と；
上記原稿端部検知手段が上記プラテンからはみ出した部分のあることを検知し、上記入力手段から上記プラテンよりも長い読み取りサイズを入力した場合、上記プラテン上の原稿を、上記読み取りサイズに応じて設定された所定の長さＬｉ１だけ、上記読取手段を移動させ、第１の画像情報を読み取った後に、上記第１、第２の原稿搬送手段によって原稿を所定の長さＬｉ２だけ搬送させ、上記プラテンの副走査方向の全長分、上記読取手段を移動させ、第２の画像情報を読み取り、上記第１、第２の画像情報を、上記画像処理部に合成させる制御手段と；
を有することを特徴とする画像読取記録装置。
【請求項６】
請求項５において、
上記第１の画像情報と上記第２の画像情報とを合成する際に、参照するための重複する画像領域を有し、上記重複する画像領域の長さを、Ｌｗとし、上記入力された読み取りサイズの原稿の搬送方向の長さを、Ｌｄとし、上記プラテンの副走査方向の全長を、Ｌｐとすると、
Ｌｉ１＝Ｌｄ−Ｌｐ＋Ｌｗ
Ｌｉ２＝Ｌｄ−Ｌｐ
であることを特徴とする画像読取記録装置。
【請求項７】
シートに画像を形成する画像形成手段と、原稿を載置する原稿台と、上記原稿台の上方に配置され、上記原稿台部に対して回動可能に取り付けられている圧板とによって構成されている画像読取記録装置において、
上記原稿台に配置され、上記画像形成手段によって画像形成可能な定型シートの最大サイズよりも短いサイズのプラテンと；
上記原稿台内部に配置され、上記プラテン上に載置されている原稿の画像を読み取る画像読取手段と；
上記原稿台の上記プラテンの一方の端部の外側に配置され、原稿を挟持し、上記プラテンへ給送する第１の原稿搬送手段と；
上記原稿台の上記プラテンの他方の端部の外側に配置され、原稿を挟持し、上記プラテンから排出する第２の原稿搬送手段と；
上記原稿台内部に配置され、上記第１、２の原稿搬送手段を駆動する原稿搬送駆動手段と；
上記プラテンの下方に設置され、原稿面に対向配置されている原稿を主走査方向に１ライン毎に読み取る読取手段と；
上記読取手段を副走査方向に移動させる読取移動手段と；
上記プラテン上に載置されている原稿に、上記プラテンからはみ出している部分があるかどうかを検知する原稿端部検知手段と；
原稿の読み取りサイズを入力する入力手段と；
上記画像読取手段によって読み取られた複数の画像情報を１つの画像情報に合成する画像処理部と；
上記読取手段が読み取った画像情報を、電話回線を通じて、ファクシミリ手順で送信するファクシミリ送信部と；
上記原稿端部検知手段が上記プラテンからはみ出した部分のあることを検知し、上記入力手段から上記プラテンよりも長い読み取りサイズを入力した場合、上記プラテン上の原稿を、上記読み取りサイズに応じて設定された所定の長さＬｉ１だけ、上記読取手段を移動させ、第１の画像情報を読み取り、上記第１、２の原稿搬送手段に、原稿を長さＬｉ２だけ搬送させ、上記プラテンの副走査方向の全長分、上記読取手段を移動させ、第２の画像情報を読み取り、上記第１、２の画像情報を合成して送信する制御手段と；
を有することを特徴とするファクシミリ装置。
【請求項８】
請求項７において、
上記第１の画像情報と上記第２の画像情報とは、重複する画像領域を有し、上記重複する画像領域の長さを、Ｌｗとし、上記入力された読み取りサイズの原稿の搬送方向の長さを、Ｌｄとし、上記プラテンの副走査方向の全長を、Ｌｐとすると、
Ｌｉ１＝Ｌｄ−Ｌｐ＋Ｌｗ
Ｌｉ２＝Ｌｄ−Ｌｐ
であることを特徴とするファクシミリ装置。
【発明の詳細な説明】
【０００１】
【発明の属する技術分野】
本発明は、原稿を載置する原稿台と圧板とを有する読取部と、シート状記録紙に画像を形成する記録部とによって構成されているフラットベット型画像読取記録装置に関する。
【０００２】
【従来の技術】
現在、家庭用のプリンタやファクシミリ装置においては、記録紙を搬送させながら、１ライン毎に画像を形成するラインプリンタが、そのコンパクト性から記録装置として多く搭載されている。
【０００３】
一方、読取装置に関しては、写真やはがき等、大切な原稿に傷やローラ跡等が残るのを防ぐ目的から、固定した読取部に原稿を搬送させるシート搬送読取装置よりも、原稿台上のプラテン上に原稿を載置し、プラテンの下部に配置された読取手段が移動することによって画情報読取動作を行うフラットベット読取装置が望まれている。
【０００４】
ここで、本体上部にフラットベット読取装置を配置し、本体下部に記録装置を配置したフラットベット読取記録装置における記録装置として、Ａ４サイズの記録紙に画像形成が可能であり、かつ記録装置としての外形がＡ４サイズよりも小さいプリンタによって、ライン毎に印字するプリンタの１つであるインクジェットプリンタが提供されている。
【０００５】
ところが、フラットベット読取装置は、Ａ４サイズの原稿を載置するので、読取装置の外形は、Ａ４サイズよりも大きくなる。このために、記録装置のコンパクト性を活用していない状況である。
【０００６】
ところで、家庭での使用を考えたときに、シート搬送を避けたい原稿である写真やはがき等は、Ａ４サイズよりも小さいサイズであることが多い。しかし、プリンタでプリントアウトした画像等シート搬送可能な原稿としては、Ａ４サイズの原稿も多い。このため、Ａ４サイズよりも小さいサイズのフラットベット読取装置で、かつＡ４サイズのシート原稿の読取も可能である読取装置が要求されている。
【０００７】
ここで、従来の複写機には、原稿台上部に配置された圧板ユニット内にベルト部材とベルトを駆動する原稿搬送駆動系を配置し、圧板ユニット内の原稿載置台に載置された原稿をベルト駆動系が駆動するベルト部材によって、原稿台上まで搬送させる機構が搭載されている。この機構を利用することによって、原稿台サイズよりも大きいサイズの原稿を搬送させることができる。
【０００８】
また、ベルト部材による搬送機構を有する従来の装置においては、操作性が考慮され、小型化が図られている（たとえば、特許文献１、特許文献２参照）。
【０００９】
【特許文献１】
特開平９−２８１７５６号公報
【特許文献２】
特開平１０−３１２０９２号公報
【００１０】
【発明が解決しようとする課題】
しかし、上記従来例では、圧板ユニット内に、ベルト部材と原稿搬送駆動系とが配置されているので、圧板ユニットが大きく重くなり、装置操作性が良くないという問題がある。
【００１１】
また、駆動系に関しても、原稿台内部にある読取手段駆動系と圧板ユニット内の原稿搬送駆動系との、２種類の駆動系を設ける必要があり、読取装置としての駆動系が複雑であるという問題があり、小型化や簡単な操作性追求するには不向きである。
【００１２】
本発明は、原稿搬送機構が簡素であり、しかも、フラットベッド型画像読取記録装置が小型であり、操作性が優れている画像読取装置、ファクシミリ装置を提供することを目的とする。
【００１３】
【課題を解決するための手段】
本発明は、シートに画像を形成する画像形成手段と、原稿を載置する原稿台と、上記原稿台の上方に配置され、上記原稿台部に対して回動可能に取り付けられている圧板とを具備する画像読取記録装置において、上記原稿台に配置され、上記画像形成手段によって画像形成可能な定型シートの最大サイズよりも小さいサイズのプラテンと、上記原稿台内部に配置され、上記プラテン上に載置されている原稿の画像を読み取る画像読取手段と、上記原稿台の上記プラテンの一方の端部の外側に配置され、原稿を挟持してプラテンへ給送する第１の原稿搬送手段と、上記原稿台の上記プラテンの他方の端部の外側に配置され、原稿を挟持してプラテンから排出する第２の原稿搬送手段と、上記原稿台内部に配置され、上記第１、２の原稿搬送手段を駆動する原稿搬送駆動手段と、上記プラテン上に載置されている原稿に、上記プラテンからはみ出している部分があるかどうかを検知する原稿端部検知手段と、上記画像読取手段によって読み取られた複数の画像情報を１つの画像情報に合成する画像処理部と、上記原稿端部検知手段が上記プラテンからはみ出した部分のあることを検知しない場合、プラテン上の画像情報のみを読み取り、一方、上記原稿端部検知手段が上記プラテンからはみ出した部分のあることを検知した場合、プラテン上の第１の画像情報を読み取った後に、上記第１の原稿搬送手段で原稿を搬送し、上記はみ出した部分をプラテン上に搬送し、第１の画像情報に隣接する第２の画像情報を読み取り、上記画像処理部が、上記第１の画像情報と上記第２の画像情報とを、１つの画像情報に合成する制御手段とを有することを特徴とする画像読取記録装置である。
【００１４】
【発明の実施の形態および実施例】
図１は、本発明の実施例１である読取記録装置ＲＷ１の全体を示す斜視図である。
【００１５】
読取記録装置ＲＷ１は、読取装置部１と、記録装置部２とを有する。読取装置部１は、記録装置部２の上部に配置され、圧板１１と原稿台１２とによって構成されている。
【００１６】
原稿台１２には、プラテン１３と第１の原稿搬送駆動ローラ１４と第２の原稿搬送駆動ローラ１５とが配置され、第１の原稿搬送駆動ローラ１４と第２の原稿搬送駆動ローラ１５とは、プラテン１３の外側に、両ローラの軸が平行になるように配置されている。
【００１７】
圧板１１には、第１の原稿搬送従動コロ１７と第２の原稿搬送従動コロ１８とが配置されている。圧板１１は、ヒンジ１９を回転中心とし、原稿台１２に対して、回動自在に取り付けられ、原稿台１２に対して、圧板１１を閉鎖状態にしたときに、第１の原稿搬送駆動ローラ１４と第１の原稿搬送従動コロ１７と、また、第２の原稿搬送駆動ローラ１５と第２の原稿搬送従動コロ１８とが、それぞれ当接するように構成されている。
【００１８】
また、原稿台１２に対して、圧板１１を開放状態にしたときに、装置使用者が、原稿台１２の上に容易に原稿を載置することができるようにするために、圧板１１と原稿台１２との間に、充分な空間が確保されるように、ヒンジ１９の回動角度が構成されている。
【００１９】
また、原稿台１２のヒンジ１９と反対側の端部付近には、操作部１６が配設されている。原稿端部検知センサ１２１は、第１の原稿搬送駆動ローラ１４の近傍に設けられているセンサであり、レバー部１２１ａが原稿台１２から突出し、プラテン１３上に載置されている原稿が、プラテン上からはみ出している場合、そのレバー部１２１ａの上に乗り、レバー部１２１ａを押し下げ、原稿のはみ出し部分があることを検知する。
【００２０】
原稿端部検知センサ１２１には、レバー付きマイクロスイッチを使用しているが、マイクロスイッチの代わりに、フォトインタラプタ等、非接触タイプの検知手段を用いるようにしてもよい。
【００２１】
次に、上記実施例における記録装置部２の構成について説明する。
【００２２】
図２は、本発明の実施例１である読取記録装置ＲＷ１における記録装置部２の概略断面図（図１において矢印Ａ方向の断面図）である。
【００２３】
まず、記録紙の搬送動作について説明する。
【００２４】
記録紙載置台２１に、記録紙束２２が載置されると、図示しない記録紙有無検知センサが検出した信号を、読取記録装置ＲＷ１の制御部へ送り、読取記録装置ＲＷ１は、記録紙有りの状態であることを認識する。
【００２５】
次に、図示しない記録紙駆動系が作動し、記録紙束２２は、記録紙分離ローラ２３によって、１枚ずつ分離される。記録紙分離ローラ２３によって分離された記録紙２４は、記録紙搬送路２５に対して、互いに対向する位置に配置されている記録紙搬送ローラ２６ａ、記録紙搬送コロ２６ｂによって構成されている記録紙搬送ローラ対２６まで搬送され、さらに、記録紙２４は、記録紙搬送ローラ対２６によって、記録紙搬送路２５上を画像記録位置２７まで搬送され、この位置で、記録紙２４の搬送は、一旦停止され、画像記録位置２７に保持される。
【００２６】
画像記録位置２７において、記録紙搬送路２５の上方に配置されているインクジェット記録ヘッド２８の印字部吐出口からインクが吐出され、記録紙２４の画像記録面にインク滴が付着することによって、画像が形成される。１ライン分の画像記録が終了すると、記録紙搬送ローラ対２６が再び回転し、記録紙２４は、図２中、左方向に搬送され、記録紙２４が一定量搬送されると、再び記録紙２４の搬送が停止され、次ラインの画像記録が行われる。
【００２７】
以上の工程を繰り返すことによって、記録紙１枚分の画像記録が終了すると、記録紙２４は、記録紙搬送路２５に対して互いに対向した位置に配置されている記録紙排出ローラ２９ａと、記録紙排紙コロ２９ｂとによって構成されている記録紙排紙ローラ対２９によって、記録紙排出口３０から機外に排出される。
【００２８】
次に、記録装置部２の占有設置面積について説明する。
【００２９】
図３は、上記実施例における記録装置部２の内部を示す平面図である。
【００３０】
図３に示す記録紙２４は、Ａ４サイズである。図２を用いて説明したように、記録紙２４は、記録紙搬送ローラ２６ａと記録紙排紙ローラ２９ａとによって搬送されながら、インクジェット記録ヘッド２８の印字部吐出口から吐出したインクによって、印字面に画像が形成される。
【００３１】
この際、インクジェット記録ヘッド２８は、記録紙２４の搬送方向垂直方向（以下、「記録紙幅方向」と呼ぶ）に、往復運動することによって、記録紙２４へのインク吐出を行う。よって、記録紙２４の幅方向の印字可能領域を大きく取るためには、インクジェット記録ヘッドの移動領域は、図３における２８から２８’までになり、記録紙幅寸法よりも大きくなる。
【００３２】
また、記録装置部２内には、概念的に示した記録紙搬送駆動系３１が、記録紙幅方向インクジェット記録ヘッド移動領域外に配置されている。このために、記録装置部２の記録紙幅方向の寸法は、記録紙幅寸法よりもさらに大きい。以上によって、図３に示すように、記録装置部２の記録紙搬送方向寸法は、記録紙サイズＡ４よりも小さいが、記録紙幅方向寸法は、記録紙サイズＡ４よりも大きくなり、記録装置部２の占有設置面積は、ほぼＡ４サイズと等しい。
【００３３】
図４は、読取装置部１の構成を表すブロック図である。
【００３４】
制御部Ｂ１は、装置内部に配置されている基板上に実装されているＣＰＵ、画像処理部によって構成されている。原稿読取部Ｂ２は、ＣＩＳと駆動部とによって構成されている。原稿搬送部Ｂ３は、不図示の原稿給送部と、不図示の原稿排紙部と、これらを駆動する不図示の駆動部とによって構成されている。
【００３５】
この他、記録部Ｂ４と、操作部Ｂ５と、原稿端部検知センサＢ６とが設けられている。通信部Ｂ７は、電話回線を介して、他機種との通信を行うモデムを実装したＮＣＵによって構成されている。メモリ部Ｂ８は、回線を介して受信した画像データや、読取部Ｂ２から読み取った画像データを蓄積するメモリ部である。
【００３６】
図５は、読取記録装置ＲＷ１のうちで、読取部１の概略構成を説明する斜視図である。
【００３７】
読取部１において、無端ベルト部材１０１は、第１、第２の原稿搬送駆動ローラ１４、１５の下方に配置されているプーリ１０２にかけられ、ベルト部材１０１の一部が読取手段３３（図６参照）と連結されている。本実施例において読取手段３３は、光源（不図示）によって原稿面を照射し、反射光を電気的に読み取る電気素子であり、コンタクトイメージセンサ（ＣＩＳ）を採用している。プーリ１０２にギア連結しているモータＭ１は、所定のステップ数パルス信号によって回転し、ベルト１０１を駆動し、読取手段３３を副走査方向に移動させる。
【００３８】
図中、読取手段３３の初期位置３３ｄは、原稿の先端位置と読取ラインとが一致する位置である。矢印Ｓ方向は、副走査方向であり、読取手段３３は、初期位置３３ｄから矢印Ｓの方向に移動しつつ、原稿面を読み取る。また、読み取りが終了すると、モータＭ１を逆転させ、読取手段３３を初期位置３３ｄまで移動させ、次の読取動作に備えて待機する。
【００３９】
無端ベルト部材１０３は、第１、第２の原稿搬送駆動ローラ１４、１５の軸端部に取り付けられているギア１０４に噛合して掛け渡されている無端ベルト部材であり、モータＭ２は、ギア１０４とギア連結し、モータＭ２を回転させることによって、第１、第２の原稿搬送駆動ローラ１４、１５を回転駆動させることができる。本実施例では、第１、第２の原稿搬送駆動ローラ１４、１５による原稿の搬送速度は、略等速となるように、ギア比、ローラ径が設定されている。
【００４０】
次に、読取装置部１の構成について説明する。
【００４１】
まず、プラテン１３のサイズよりも小さい原稿を読み取る場合の読取部の動作について説明する。
【００４２】
図６は、読取装置部１を示す断面図（図１において矢印Ａ方向の断面図）であり、プラテン１３よりも小さいサイズの原稿を読み取る場合における断面図である。
【００４３】
ここで、本実施例のプラテン１３は、Ａ５サイズよりも若干大きい面積である。家庭内で扱う原稿のうちで、傷やローラ跡がつくことを避けるという観点からは、装置内を搬送させることが好ましくない写真やはがき等の原稿は、Ａ５サイズ以下の大きさの原稿が多い。よって、家庭での使用を考えた場合に、プラテンの大きさは、充分な面積である。
【００４４】
プラテン１３の上面に、原稿３２を載置する。次に、圧板１１を閉じ、原稿台１２を閉鎖状態にする。このようにすることによって、プラテン１３上に載置された原稿３２は、圧板１１の自重によって、読取動作中に位置のずれがない。このときに、原稿後端検知センサ１２１のレバー部１２１ａ（図１０参照）に原稿が乗っていないので、検知センサ１２１からの信号は無く、原稿がプラテン１３からはみ出した部分がないことを、読取装置部１が認識できる。
【００４５】
ここで、操作者は、操作部１６上のコピースタートキー１１０（図５参照）を押下すると、読取手段３３が、１ラインごとのラインデータを読み取り、しかも、１ライン読み取るごとに、モータを駆動し、読取手段３３を副走査方向（図１中矢印方向）に移動させ、これによって、原稿面の画像情報を２次元的に読み取る。これによって、プラテン１３上の原稿を読み取ることができる。
【００４６】
本実施例では、原稿端部検知センサが原稿はみ出し部分を検知しない場合における読み取りサイズは、Ａ５サイズであり、このＡ５サイズをデフォルトとし、読み取りサイズを操作者が選択しないでコピー動作をスタートさせれば、Ａ５サイズを読み取ることができる。また、操作部上のサイズ選択キー１１１（図５参照）を押下することによって、読み取りサイズを切り替えることができ、選択した読み取りサイズは、ＬＣＤ表示部１１２に表示される。
【００４７】
操作者は、表示部に表示されている読取サイズを見ながら、所望の読取サイズ（たとえば「はがき横」）、が選択されたことを確認し、図５に示すコピースタートキー１１０を押下すれば、読取手段３３を、必要な副走査の移動距離（たとえば、はがき幅）だけ、移動させて読取を行う。
【００４８】
本実施例では、原稿端部検知センサが原稿はみ出し部分を検知しない場合、図５に示すサイズ選択キー１１１を１回、押下するごとに、Ａ５縦→はがき縦→はがき横→Ａ６→写真Ｌ判→Ａ５縦→………のように、順次切り替わる。このようにしてサイズ選択を行うことによって、副走査に必要な移動量だけ、読取手段３３を移動させ、読み取り動作が終了するので、余分な副走査領域を読み取ることなく、読み取り動作に要する時間を短縮することができ、また、光源点灯、モータ駆動等に要する電力も抑えられ、省エネにもつながる。
【００４９】
次に、プラテン１３のサイズよりも大きい原稿を読み取る場合の読取装置部１の動作について説明する。
【００５０】
図７は、読取装置部１を示す断面図（図１において矢印Ａ方向の断面図）であり、プラテン１３よりも大きいサイズの原稿３４を載置した場合における断面図である。
【００５１】
図８は、プラテン１３よりも大きいサイズの原稿３４を載置した場合に、原稿３４を読み取る動作を説明する斜視図である。
【００５２】
図８に示すように、プラテン１３よりも大きな原稿３４を、プラテン１３上に載置する。ここでは、プラテン１３よりも大きな原稿３４として、Ａ４サイズの原稿３４を例にあげる。
【００５３】
ここで、原稿台１２上の、プラテン１３の第２の原稿搬送駆動ローラ１５側の端部（以後、「プラテン１３の下流側端部」と呼ぶ）付近には、原稿突き当て指標としてのストッパ部材３５が配置され、装置使用者が、原稿３４をセットする際に、原稿３４の先端を突き当て、プラテン１３の下流側端部付近に容易にセットできる。
【００５４】
次に、圧板１１を閉じて原稿台１２に対して閉鎖状態とする。このようにすることによって、プラテン１３上に載置された原稿３４は、圧板１１の自重によって、読取動作中に位置がずれることがない。
【００５５】
このときに、原稿３４の後端部は、プラテン１３からはみ出し、第１の原稿搬送駆動ローラ１４と従動コロ１７とによって挟持され、搬送可能な状態になる。第１の原稿搬送駆動ローラ１４の近傍に設けられている原稿後端検知センサ１２１のレバー部１２１ａに原稿後端部が乗っているので、検知センサ１２１から信号があり、原稿３４がプラテン１３からはみ出した部分があることを、読取装置部１が認識できる。
【００５６】
ここで、操作者が、操作部１６上のコピースタートキー１１０（図５参照）を押下すると、読取手段３３が、１ラインごとのラインデータを読み取り、また、１ライン読み取るごとにモータを駆動し、読取手段３３を副走査方向（図中矢印方向）に移動させ、原稿面の画像情報を２次元的に読み取る。
【００５７】
本実施例では、原稿端部検知センサが原稿はみ出し部分を検知した場合の読み取りサイズとして、Ａ４サイズをデフォルトとし、操作者が読み取りサイズを選択しないで、コピー動作をスタートさせれば、自動でＡ４サイズを読み取る設定になっている。
【００５８】
プラテン１３よりも大きなサイズの原稿３４の場合、モータＭ１を駆動し、読取手段３３を副走査方向に所定量移動させ、原稿３４の前半部分である第１の画像情報を読み取り、続いてモータＭ２を駆動し、第１、第２の原稿搬送駆動ローラ１４、１５を回転させ、原稿３４を所定量搬送する。搬送量は、未読である後半部分の先頭ラインが所定位置に到達するまで、搬送する。その間、モータＭ１は、逆転駆動され、読取手段３３は、初期位置３３ｄに戻り、次の読み取り動作の待機状態となっている。
【００５９】
未読の後半部分がプラテン１３上に搬送された場合、モータＭ１を再度駆動し、読取手段３３を副走査方向に移動させ、原稿３４の後半部分である第２の画像情報を読み取る。この場合、読み取った第１、第２の画像情報を、後述する画像合成方法によって、１つの画像情報に合成し、コピーの場合は、記録部Ｂ４に送られ、自機に出力され、一方、ＦＡＸ送信の場合は、通信部Ｂ７に送られ、相手機に送信される。
【００６０】
上記のような手順で、プラテン１３のサイズよりも大きなサイズの原稿３４の画像読取を行う。なお、圧板１１には、第１、２の原稿搬送従動コロ１７、１８が配設されているが、原稿搬送駆動源や駆動伝達のための駆動系は、配設されず、圧板１１として簡単な構成で軽量である。
【００６１】
このために、原稿３４を原稿台に載置する場合における圧板１１の開閉の操作が容易であり、また、圧板１１を開閉するときにおける回転中心であるヒンジ１９も、軽量対応の簡単な構成であり、安価に形成できる。また、原稿搬送駆動系に関しても、たとえば駆動源は、原稿台内部、搬送駆動系の一部は、圧板内部というように、原稿搬送駆動系が、原稿台内部と圧板内部とに分割されることがなく、簡単な構成で、原稿搬送駆動系を配置することができる。
【００６２】
次に、前半の画像と後半の画像との合成に関して説明する。
【００６３】
本実施例では、第１の画像情報と第２の画像情報とを合成する際に、前後の読取画像のズレを抑えて精度よく合成するために、第１の画像情報の後端部分と、第２の画像情報の先端部分とに、原稿３４の数ライン分、同一部分が読み取られている。
【００６４】
この重複する部分を、画像処理部のある制御部Ｂ１で照合し、前後の画像情報を精度よく、１つの画像情報に合成する。このようにするために、プラテン１３は、Ａ４サイズ原稿３４の主走査方向（以下原稿幅方向と呼ぶ）が、Ａ５サイズ長手寸法とほぼ等しくなっているが、原稿３４の搬送方向は、Ａ５サイズ短手寸法（Ａ４サイズ長さの半分）よりも、若干大きい寸法になっている。
【００６５】
すなわち、Ａ４サイズの半分よりも、上記重複する分だけ、長めに距離副走査が可能なようになっている。たとえば、Ａ４サイズの原稿３４の場合、読取手段３３は、先ずプラテン１３の副走査方向の全域を走査し、原稿３４の前半部分である第１の画像情報を読み取り、続いて原稿３４を、Ａ５サイズ短手寸法分だけ搬送し、プラテン１３の副走査方向全域を走査し、原稿３４後半部分である第２の画像情報を読み取る。
【００６６】
これによって、第１の画像情報の後端部と第２の画像情報の先端部とに、重複部分ができ、この重複部分を照合し、第１、第２の画像情報を精度よく合成することができる。
【００６７】
また、本実施例では、上記と同様に、操作者は、図５に示すサイズ選択キー１１１によって、読み取りサイズを選択することができ、プラテン１３よりも大きなサイズの原稿３４がセットされていても、その原稿内の必要なサイズ領域だけを読み取らせることができる。
【００６８】
プラテン１３よりもはみ出している部分を検知した場合、操作者は、図５に示すサイズ選択キー１１１を、１回押下するごとに、Ａ４→Ｂ５→Ａ５横→Ａ５縦→はがき横→はがき縦→Ａ６→写真Ｌ判→Ａ４→………と、順次切り替わり、ＬＣＤ表示部１１２に、選択した読み取りサイズが表示される。これによって、サイズを選択すれば、副走査に必要な移動量だけ、読取手段３３を移動させ、読み取り動作が終了するので、余分な副走査領域を読み取ることなく、不要な部分までコピーすることがない。
【００６９】
以下に、プラテン１３よりも大きなサイズの原稿３４がセットされ、図５に示すサイズ選択キー１１１によって読み取りサイズが選択された時の読み取り動作について説明する。
【００７０】
Ａ５サイズよりも小さい（すなわちプラテン１３よりも小さい）原稿３４の搬送や画像の合成を必要としない読み取りサイズの場合は、上記のプラテン１３よりも小さい原稿３４を読み取る場合と、同じであり、必要最小限の移動量のみ、読取手段３３を移動することによって、読み取り時間を短縮し、駆動時の消費電力を抑える。
【００７１】
一方、プラテン１３からはみ出した部分も読み取り（すなわち原稿画像情報を前半部分と後半部分に分けて読み取り）、その後に合成する場合、たとえばＢ５サイズ読み取りを選択した場合、前半部分でプラテン１３の全域を読み取ると、後半部分で読み取るために、原稿３４をＡ５短手寸法分搬送しなければならず、原稿搬送に時間を要し、また、第１の原稿搬送駆動ローラ１４・従動コロ１７の１対か、第２の原稿搬送駆動ローラ１５・従動コロ１８の１対の一方の対でしか搬送していない時間が長く存在し、斜行や不送り等、搬送性能上の不具合を招きやすい。
【００７２】
そのために、重複部分が一致せず、画像合成の際に、読取画像の劣化や、合成の失敗につながる恐れがある。
【００７３】
そこで、本実施例では、プラテン１３よりも大きなサイズの読み取りサイズでも、読み取り時間を短縮し、搬送性能を安定させて画像品質を落とさない読み取り動作を行っている。以下に、上記読み取り動作について説明する。
【００７４】
プラテン１３上で読み取ることができる最大原稿長さを、Ｌａ（本実施例ではＡ５サイズ短手寸法）とし、重複部分の長さを、Ｌｗとし、選択された原稿３４の読み取りサイズの長さを、Ｌｄとし、プラテン１３の副走査方向移動全長を、Ｌｐとすると、先の説明から、本実施例では、Ｌｐ＝Ｌａ＋Ｌｗである。
【００７５】
プラテン１３上に載置された原稿３４の第１の画像情報（すなわち前半部分の画像情報）を読み取る際、読取手段３３の副走査移動量（図中、矢印Ｓ方向）がＬ１＝Ｌｄ−Ｌａである長さだけ読み取った時点で、モータＭ１の駆動を停止する。
【００７６】
続いて、モータＭ２を駆動し、第１、２の原稿搬送駆動ローラを回転させ、原稿３４を搬送し、第２の画像情報（すなわち後半部分の画像情報）を、プラテン１３上の読取位置まで移動させる（図中矢印Ｄ方向）。この際、原稿３４を距離Ｌ２＝Ｌｄ−Ｌｐだけ搬送した時点で、モータＭ２の駆動を停止する。原稿搬送の間、上記読取手段３３は、モータＭ１を逆転し、初期位置３３ｄに戻り、待機状態となり、モータＭ１を再度正転駆動し、副走査方向にプラテン１３の副走査全長Ｌｐの長さ分移動させ、読取後半部分の第２の画像情報を読み取る。
【００７７】
これによって、選択した読取サイズ分の画像情報を読み取ったことになり、その後は、上記した手順で画像の合成を行う。このようにすることによって、読取手段３３が原稿先端位置から読み取りを開始し、所望の読み取りサイズの後端位置まで読取が完了するまでに、読取手段３３の総移動距離を短く抑えることができ、読取時間を短縮することができる。
【００７８】
また、原稿搬送距離を短く抑えることができ、一対のローラ対のみで搬送されている領域が少なく、搬送性能が安定し、良好な読取画像を得ることができ、上記したような不具合の心配もなくなる。また、ローラの耐久向上にもなる。
【００７９】
ここで、原稿端部検知センサ１２１が、原稿端部の検出位置（すなわちレバー部１２１ａが第１の原稿搬送駆動ローラ１４と従動コロ１７とのニップを形成する接線位置）よりも、上流側に配置され、プラテン１３からはみ出す部分を有する原稿３４がセットされたときに、上記はみ出し部の検知を行うと同時に、原稿搬送駆動ローラ１４と従動コロ１７とによって、原稿３４を確実に挟持する。
【００８０】
また、原稿セット時の突き当て指標としてのストッパ部材３５の原稿突き当て位置と、レバー部１２１ａとの距離Ｌｓｓは、第１の原稿搬送駆動ローラ１４と従動コロ１７、第２の原稿搬送駆動ローラ１５と従動コロ１８のそれぞれのニップ間距離Ｌｒｒよりも長くなる位置に配置されている。
【００８１】
これによって、プラテン１３からはみ出し部を有する原稿３４をセットしたときに、はみ出し部分があることを検知した原稿３４を、常に確実に第１原稿搬送駆動ローラ１４から第２の原稿搬送駆動ローラ１５へ搬送できる。
【００８２】
次に、読取装置部１の占有設置面積について説明する。
【００８３】
図６、図８に示す原稿３４は、Ａ４サイズである。図５〜図８を用いて上記説明したように、プラテン１３は、その原稿幅方向がＡ５サイズ長手寸法とほぼ等しく、原稿３４の搬送方向がＡ５サイズ短手寸法よりも若干大きい寸法である。
【００８４】
ここで、原稿台１２の内部のプラテン１３の長手端部（図６、図８における上下端部）のうちで、上流側端部の外側には、第１の原稿搬送駆動ローラ１４が配置され、下流側端部の外側には、第２の原稿搬送駆動ローラ１５が配置され、プラテン１３の長手方向と、第１、２の原稿搬送駆動ローラ１４、１５がＡ４サイズ原稿３４を搬送する原稿３４の搬送方向とが、垂直である。
【００８５】
このため、読取装置部の原稿３４の搬送方向寸法は、Ａ５サイズ短手寸法よりも大きく、Ａ４サイズ短手寸法とほぼ同様の寸法とである。
【００８６】
一方、原稿台１２内部のプラテン１３の短手端部の外側には、概念的に示した原稿搬送駆動ローラ駆動系や、後述するストッパ部材３５や、原稿搬送駆動ローラ１４、１５の退避機構や、圧板１１のヒンジ機構１９が配置されている。このために、読取装置部の原稿搬送幅方向としては、Ａ５サイズ長手寸法よりも大きく、Ａ４サイズ長手寸法とほぼ同様の寸法である。このように、読取装置部１の占有設置面積は、ほぼＡ４サイズと等しい。
【００８７】
上記のように、読取装置部１、記録装置部２は、ともにほぼＡ４サイズの占有設置面積を必要とする。ここで、図１に示すように、実施例１である読取記録装置ＲＷ１は、読取装置部１を本体上方に、記録装置部２を本体下部に配置している。また、読取装置部１における原稿３４の搬送方向と、記録装置部２における記録紙搬送方向とが互いに平行である。このために、読取装置部１の全体としての長手方向と、記録装置２の全体としての長手方向が、互いに平行であり、読取記録装置ＲＷ１全体としての占有設置面積が小さく、読取記録装置ＲＷ１自体が省スペースであり、読取記録装置ＲＷ１の使用空間も省スペースになる。
【００８８】
次に、圧板１１の開閉に伴い、ストッパ部材３５が退避する構成について説明する。
【００８９】
実施例１である読取記録装置ＲＷ１は、圧板１１の開放時に、図１２に示すように、ストッパ部材３５が、原稿台１２の上面よりも上方に突出しているが、圧板１１の閉鎖時に、図１１に示すように、ストッパ部材３５が、原稿台１２の上面よりも下方に埋没する。
【００９０】
圧板１１の開閉に伴い、ストッパ部材３５が退避する構成として、第１のプランジャー４１と、ストッパレバー４２と、ストッパレバー回転中心４２ａと、ストッパレバー／シャフト当接部４２ｂと、ストッパシャフト４３と、ストッパシャフト回転中心４３ａとが設けられている。
【００９１】
図９は、上記実施例における読取装置部１において、原稿３４を移動させる様子を示す斜視図である。
【００９２】
図１０は、上記実施例における読取装置部１において、原稿端部検知センサの位置を示す図である。
【００９３】
図１１は、上記実施例において、圧板１１の閉鎖時におけるストッパ部材３５の位置を示す図である。
【００９４】
図１２は、上記実施例において、圧板１１の開放時におけるストッパ部材３５の位置を示す図である。
【００９５】
まず、圧板１１閉鎖時は、図１１に示すように、第１のプランジャー４１がＯＦＦ状態になり、ストッパ部材３５の上端は、原稿台１２の上面よりも下方に埋没している。
【００９６】
次に、圧板１１を開放すると、図示しない圧板開閉センサがＯＮになり、図示しない制御手段によって、第１のプランジャー４１がＯＮ状態になる。第１のプランジャー４１がＯＮ状態になると、図１２に示すように、第１のプランジャー４１によって、ストッパレバー４２が、図１２中、右方向に引っ張られ、ストッパレバー４２は、ストッパレバー回転中心４２ａを中心に時計方向に回転する。
【００９７】
すると、ストッパシャフト４３は、ストッパレバー／シャフト当接部４２ｂにおいて、図１２中、上方向に力を受け、ストッパシャフト回転中心４３ａを中心に、反時計方向に回転する。すると、ストッパ部材３５は、ストッパシャフト４３から図１２中、上方向に力を受け、ストッパ部材３５の上端が原稿台１２の上面よりも上方に突出する。
【００９８】
さらに、再度、圧板１１を閉鎖すると、第１のプランジャーがＯＦＦ状態になり、ストッパレバー４２を引いていた力が解除される。このために、ストッパ部材３５、ストッパシャフト４３、ストッパレバー４２は、それぞれ自重によって移動し、ストッパ部材は、下方に移動し、ストッパシャフト４３は、ストッパシャフト回転中心４３ａを中心に、時計方向に回転し、ストッパレバー４２は、ストッパレバー回転中心４２ａを中心に、反時計方向に回転し、図１１に示す状態に戻る。
【００９９】
このために図１２において、装置使用者がＡ４サイズ原稿３４をプラテン１３上に載置する際に、ストッパ部材３５に原稿３４を突き当てた後に、原稿３４位置を微修正することによって、Ａ４サイズ原稿３４をプラテン１３上の最適位置に容易にセットすることができ、しかも、図１１に示すように、圧板１１の閉鎖時には、ストッパ部材３５は原稿台１２の上面より下方に埋没するので、図５〜図８に示すＡ４サイズ原稿３４の画像読取時にも、原稿搬送を妨げることなく、高品質の原稿搬送、画像読取を実現することができる。
【０１００】
しかも、上記のように、ストッパ部材３５の上下動は、圧板１１の開閉に連動して行われるので、装置使用者にとって、別操作を行う必要がないので、より操作性が優れている。
【０１０１】
図１３は、上記実施例において、ストッパ部材３５の周辺の概略を示す斜視図である。
【０１０２】
なお、図１３に示すように、本実施例においては、ストッパ部材３５は、原稿幅方向に渡り、複数の部材からなり、片方の端部付近に配設したストッパレバー４２の動きによって、ストッパシャフト４３を、ストッパシャフト回転中心４３ａを中心に回転させ、ストッパシャフト４３によって、複数のストッパ部材３５を上下動させる。
【０１０３】
次に、圧板１１の開閉に伴い、第１、２の原稿搬送駆動ローラ１４、１５が退避する構成について説明する。
【０１０４】
実施例１である読取記録装置ＲＷ１は、図６、図７に示すように、第１、２の原稿搬送駆動ローラ１４、１５が、原稿台１２上面から上方に突出し、それぞれ、圧板１１に配置された第１、２の原稿搬送従動コロ１７、１８によって原稿３４を挟持搬送する。
【０１０５】
しかし、圧板１１を開放し、原稿３４をプラテン１３上に載置する場合、第１、２の原稿搬送駆動ローラ１４、１５を、原稿台１２の上面よりも下方に埋没させ、装置使用者が、原稿３４をプラテン１３上に載置し、さらに原稿３４の位置を微調整する場合に、回転しない原稿搬送駆動ローラと原稿３４との摩擦力によって抵抗力が発生し、原稿３４のセットが難しくなることを防いでいる。
【０１０６】
図１４は、圧板１１の閉鎖時における第１の原稿搬送駆動ローラ１４の位置を示す図である。
【０１０７】
図１５は、圧板１１の開放時における第１の原稿搬送駆動ローラ１４の位置を示す図である。
【０１０８】
第１の原稿搬送駆動ローラ１４の退避機構は、第２のプランジャー５１と、駆動ローラ押圧バネ５２と、ローラレバー５３と、ローラレバー回転中心５３ａと、ローラレバー／ローラ軸受け当接部５３ｂと、ローラ軸受け５４と、ローラ移動シャフト５５と、ローラ移動シャフト回転中心５５ａとを有する。
【０１０９】
まず、圧板１１閉鎖時は、図１４に示すように、第２のプランジャー５１がＯＦＦ状態になり、第１の原稿搬送駆動ローラ１４は、原稿台１２の上面よりも上方に突出している。なお、第１の原稿搬送駆動ローラ１４は、駆動ローラ押圧バネ５２によって、下方から押圧力を受け、対向する第１の原稿搬送従動コロ１７と共に、原稿３４を挟持することによって、原稿搬送力を現出している。
【０１１０】
次に、圧板１１を開放すると、図示しない圧板開閉センサがＯＮになり、図示しない制御手段によって、第２のプランジャー５１がＯＮ状態になる。第２のプランジャー５１がＯＮ状態になると、図１５に示すように、第２のプランジャー５１によって、ローラレバー５３が、図１５において左方向に引っ張られ、ローラレバー５３は、ローラレバー回転中心５３ａを中心に反時計方向に回転する。
【０１１１】
すると、ローラ軸受け５４は、ローラレバー／ローラ軸受け当接部５３ｂにおいて、図１５中、下方向に力を受け、下方に移動する。すると、ローラ軸受け５４によって受けられた第１の原稿搬送駆動ローラ１４は、図１５中、下方向に力を受けて、下方に移動し、原稿台１２上面よりも下方に埋没する。
【０１１２】
また、ローラ軸受け５４が下方に移動することによって、ローラ移動シャフト５５は、図１５中、下方向に力を受け、ローラ移動シャフト回転中心５５ａを中心に、反時計方向に回転する。
【０１１３】
図１６は、上記実施例において、原稿搬送駆動ローラ周りの概略を示す斜視図である。
【０１１４】
ここで、図１６に示すように、本実施例においては、第２のプランジャー５１とローラレバー５３とは、第１の原稿搬送駆動ローラ１４の片方の端部付近に配設され、片方のローラ軸受け５４の下方への移動によって、ローラ移動シャフト５５が、ローラ移動シャフト回転中心５５ａを中心に、回転する。この回転によって、逆側のローラ軸受けにも、下方への力が加わり、原稿幅方向にわたった第１の原稿搬送駆動ローラ１４の上下動がスムーズに作動する。
【０１１５】
さらに、再度、圧板１１を閉鎖すると、第２のプランジャー５１がＯＦＦ状態になり、ローラレバー５３を引いていた力が解除される。このために、駆動ローラ押圧バネ５２のバネ力によって、第１の原稿搬送駆動ローラ１４とローラ軸受け５４とは、上方に移動し、ローラレバー５３は、ローラレバー回転中心５３ａを中心に、時計方向に回動し、ローラ移動シャフト５５は、ローラ移動シャフト回転中心５５ａを中心に、時計方向に回動し、図１４の状態に戻り、原稿台上に載置された原稿３４を、第１の原稿搬送駆動ローラ１４と第１の原稿搬送従動コロ１７とによって、しっかりと挟持する。
【０１１６】
なお、上記のように原稿搬送手段である第１の原稿搬送駆動ローラ１４の原稿台上面よりも下方への埋没と、原稿台上面からの突出とは、圧板１１の開閉に連動して行われるので、装置使用者にとって、別操作を行う必要がないので、操作性がより向上する。
【０１１７】
また、図１４〜図１６において、圧板１１の開閉に連動する第１の原稿搬送駆動ローラの退避について説明したが、第２の原稿搬送駆動ローラの退避についても、上記と同様に説明することができる。
【０１１８】
また、本実施例においては、圧板１１の開閉に伴い、第１、２のプランジャーによって、ストッパレバー４２とローラレバー５３とを移動し、ストッパ３５の突出／退避、第１、２の原稿搬送駆動ローラ１４、１５の退避／突出を行っているが、プランジャーを用いずに、カムまたはリンク機構を用い、ストッパと原稿搬送駆動ローラとの突出／退避を行うようにしてもよい。
【０１１９】
【発明の効果】
請求項１〜請求項４記載の発明によれば、装置本体の小型化を実現しつつ、小型軽量の圧板と、簡単な構成の原稿搬送系と原稿端部検知センサとによって、原稿のサイズに応じて読み取り動作を切り換え、原稿画像を確実に読み取ることができるという効果を奏する。
【０１２０】
また、請求項１〜請求項４記載の発明によれば、原稿端部検知センサによってプラテンからはみ出した部分の有無を検知できるので、操作者は、読み取り時に、読み取りサイズを設定せずに、はみ出した部分の有無にかかわらず、コピースタートボタンを押すという同一のオペレーションによって、プラテンに載置した原稿の画像情報を読み取ることができるという効果を奏する。
【０１２１】
さらに、請求項１〜請求項４記載の発明によれば、原稿端部検知センサを、上記位置に設けることによって、原稿の搬送不良を防ぎ、原稿を精度良く搬送することができるという効果を奏する。
【０１２２】
請求項５〜請求項８記載の発明によれば、装置本体の小型化を実現しつつ、小型軽量の圧板と簡単な構成の原稿搬送系によって、プラテンのサイズよりも大きなサイズの原稿画像も精度良く、かつ効率良く読み取ることができ、すなわち、プラテンからはみ出した部分を有する原稿を分割して読み取った後に、画像情報を合成する際に、一対のローラのみの搬送による斜行等、搬送系に起因する読取位置精度の低下を抑えることができるという効果を奏する。
【０１２３】
また、請求項５〜請求項８記載の発明によれば、原稿を全て読み取るまでに要する時間を短縮することができ、したがって、操作性が向上し、省エネ、耐久性が向上するという効果を奏する。
【図面の簡単な説明】
【図１】本発明の実施例１である読取記録装置ＲＷ１の全体を示す斜視図である。
【図２】本発明の実施例１である読取記録装置ＲＷ１における記録装置部２の概略断面図（図１において矢印Ａ方向の断面図）である。
【図３】記録装置部２の内部平面図である。
【図４】読取装置部１の構成を表すブロック図である。
【図５】読取記録装置ＲＷ１のうちで、読取部１の概略構成を説明する斜視図である。
【図６】読取装置部１を示す断面図（図１において矢印Ａ方向の断面図）であり、プラテン１３よりも小さいサイズの原稿を読み取る場合における断面図である。
【図７】読取装置部１を示す断面図（図１において矢印Ａ方向の断面図）であり、プラテン１３よりも大きいサイズの原稿３４を載置した場合における断面図である。
【図８】プラテン１３よりも大きいサイズの原稿３４を載置した場合に、原稿３４を読み取る動作を説明する斜視図である。
【図９】上記実施例における読取装置部１において、原稿３４を移動させる様子を示す斜視図である。
【図１０】上記実施例における読取装置部１において、原稿端部検知センサの位置を示す図である。
【図１１】上記実施例において、圧板１１の閉鎖時におけるストッパ部材３５の位置を示す図である。
【図１２】上記実施例において、圧板１１の開放時におけるストッパ部材３５の位置を示す図である。
【図１３】上記実施例において、ストッパ部材３５の周辺の概略を示す斜視図である。
【図１４】圧板１１の閉鎖時における第１の原稿搬送駆動ローラ１４の位置を示す図である。
【図１５】圧板１１の開放時における第１の原稿搬送駆動ローラ１４の位置を示す図である。
【図１６】上記実施例において、原稿搬送駆動ローラ周りの概略を示す斜視図である。
【符号の説明】
ＲＷ１…読取記録装置、
１…読取装置部、
２…記録装置部、
１１…圧板、
１２…原稿台、
１３…プラテン、
１４…第１の原稿搬送駆動ローラ、
１５…第２の原稿搬送駆動ローラ、
２１…記録紙載置台、
３２…原稿、
５１…第２のプランジャー。
【図１】
2005057340.tif 000003
【図２】
2005057340.tif 000004
【図３】
2005057340.tif 000005
【図４】
2005057340.tif 000006
【図５】
2005057340.tif 000007
【図６】
2005057340.tif 000008
【図７】
2005057340.tif 000009
【図８】
2005057340.tif 000010
【図９】
2005057340.tif 000011
【図１０】
2005057340.tif 000012
【図１１】
2005057340.tif 000013
【図１２】
2005057340.tif 000014
【図１３】
2005057340.tif 000015
【図１４】
2005057340.tif 000016
【図１５】
2005057340.tif 000017
【図１６】
2005057340.tif 000018